(57)【要約】      （修正有）【課題】サイド面に開口し化粧品を取り出すことができる使いやすい化粧ポーチを提供する。【解決手段】化粧ポーチは、本体１０を含み、前記本体の中には大空きチャンバ３０が設置され、前記大空きチャンバの中には保存ブロック１７が設置され、前記保存ブロックの左右両端にはいずれも回転ブロックが回転できるように設置され、前記回転ブロックの底端には外軸が固定的に設置され、前記外軸の中には円柱溝が設置され、前記大空きチャンバの左右両側端壁の中には扇状凹溝が設置され、前記扇状凹溝の底壁にはヒンジブロックが固定的に設置され、前記ヒンジブロックの頂部には揺動軸が固定的に設置され、前記揺動軸が前記円柱溝の中に挿入され、前記揺動軸と前記円柱溝の頂壁との間には第一ばねが取り付けられ、前記保存ブロックの左右両側端面にはいずれも軸ピンが固定的に設置される。【選択図】図１
2020171659.tif 000002
【特許請求の範囲】
【請求項１】
本体を含み、前記本体の中には大空きチャンバが設置され、前記大空きチャンバの中には保存ブロックが設置され、前記保存ブロックの左右両端にはいずれも回転ブロックが回転できるように設置され、前記回転ブロックの底端には外軸が固定的に設置され、前記外軸の中には円柱溝が設置され、前記大空きチャンバの左右両側端壁の中には扇状凹溝が設置され、前記扇状凹溝の底壁にはヒンジブロックが固定的に設置され、前記ヒンジブロックの頂部には揺動軸が固定的に設置され、前記揺動軸が前記円柱溝の中に挿入され、前記揺動軸と前記円柱溝の頂壁との間には第一ばねが取り付けられ、前記保存ブロックの左右両側端面にはいずれも軸ピンが固定的に設置され、前記軸ピンと前記扇状凹溝の片側端壁とが回転できるように連結され、前記保存ブロックの前側端面には曲がり形凹溝が設置され、手を前記曲がり形凹溝の中に挿入することにより、前記保存ブロックを引き、前記保存ブロックを前記大空きチャンバの外部まで滑り出させることができ、前記本体の前側端面には引掛り溝が設置され、前記引掛り溝の中には仕切板機構が設置され、前記仕切板機構が前記保存ブロックが前記大空きチャンバの外部まで滑り出ることを止められ、前記引掛り溝の頂部には空き溝が設置され、前記空き溝の中にはロック機構が設置され、前記ロック機構が前記仕切板機構をロックでき、それにより前記保存ブロックを前記大空きチャンバの外部まで引かれないようにさせることを特徴とする使いやすい化粧ポーチ。
【請求項２】
前記保存ブロックの中には開け溝が設置され、前記開け溝の中には引き出しがスライドできるように設置され、前記引き出しの中には雑物チャンバが設置され、前記雑物チャンバの中には重要ではない小物を保存でき、前記保存ブロックの中には大保存ボックスが固定的に設置され、前記大保存ボックスの中には大保存チャンバが設置され、前記大保存チャンバの中には小保存ボックスがスライドできるように設置され、前記小保存ボックスの中には小保存チャンバが設置され、前記小保存チャンバの両側端壁の間には横ロッドが固定的に設置され、手動で横ロッドを引き、小保存ボックスを大保存チャンバの中から引き出すことができ、それにより小保存ボックスの底部に位置している化粧品を取り出すことができることを特徴とする請求項１に記載の使いやすい化粧ポーチ。
【請求項３】
前記仕切板機構は前記引掛り溝の中にスライドできるように設置される引掛り板を含み、前記引掛り板の底部の一端が斜面設計であり、前記引掛り板の底端と前記保存ブロックの頂端とが当接するようにスライドできるように連結され、前記引掛り溝の底壁の中には左右に対称的なロングスライド溝が設置され、前記ロングスライド溝の中には第一スライド板がスライドできるように設置され、前記引掛り溝の底端と前記引掛り板の頂端とが固定され、前記引掛り溝の頂壁の中には小空きチャンバが左右に対称的に設置され、前記小空きチャンバの中にはリールが回転できるように設置され、二組の前記小空きチャンバの間には空き溝が設置され、前記空き溝の中には二組の左右に対称的なスライドブロックがスライドできるように設置され、前記空き溝の両側端壁の中にはいずれも第二スライド板がスライドできるように設置され、前記第二スライド板の一端と前記スライドブロックとが固定的に連結され、前記第二スライド板のもう一端と前記第一スライド板とが当接するようにスライドできるように連結され、前記スライドブロックの一端には引き紐が固定的に設置され、前記引き紐が前記リールを通した後に前記引掛り板と固定され、手動で二組の前記スライドブロックを引き、二組の前記スライドブロックを近づかせ、それにより引き紐が引掛り板を引き上に移動させ、それにより引掛り板に保存ブロックを固定しないようにさせ、それにより保存ブロックを大空きチャンバの外部まで引かれることができるようにさせることを特徴とする請求項１に記載の使いやすい化粧ポーチ。
【請求項４】
前記ロック機構は前記空き溝の中に固定的に設置される固定ブロックを含み、前記固定ブロックの中にはスライドチャンバが設置され、前記スライドチャンバの中には二組の円スライドブロックがスライドできるように設置され、二組の前記円スライドブロックの一端がそれぞれ前記スライドブロックと固定的に連結され、二組の前記円スライドブロックの間には第二ばねが取り付けられ、前記空き溝の頂部には回転軸が回転できるように設置され、前記回転軸の外周には二組の暗号盤が固定的に設置され、前記暗号盤の外周には数字が刻印されており、前記暗号盤の中にはいずれも左右に対称的な二組の挿し穴が設置され、前記空き溝の頂壁には二組の縦スライド溝が設置され、前記縦スライド溝の中には位置制限スライド板がいずれもスライドできるように取り付けられ、前記位置制限スライド板の底端が前記スライドチャンバの中に挿入され、また前記円スライドブロックと当接するようにスライドできるように連結され、前記位置制限スライド板の一端には復帰機構が固定的に設置され、二組の前記暗号盤を回すことにより、上下二組の暗号盤の中にある前記挿し穴が重なり、同時に、縦スライド溝と重なり、このとき位置制限スライド板が挿し穴の中に挿入されることができ、円スライドブロックを位置制限しないようにさせ、それによりスライドブロックを移動させ、それにより保存ブロックを引き出せることを特徴とする請求項１に記載の使いやすい化粧ポーチ。
【請求項５】
前記本体の左右両端にはいずれも飾りベルトが固定的に設置され、前記飾りベルトの中には円穴が設置され、前記円穴の中には飾りリングが設置され、前記飾りリングが飾り作用を果たし、両側の前記飾りリングがベルトによりつなぎ合わせられることができ、それにより本発明を便利に携帯でき、前記本体の頂部には二組の取っ手ブロックが固定的に設置され、二組の取っ手ブロックの間には取っ手が設置されることを特徴とする請求項１に記載の使いやすい化粧ポーチ。
【発明の詳細な説明】
【技術分野】
【０００１】
本発明は化粧ポーチ分野を取り上げて、具体的には使いやすい化粧ポーチである。
【背景技術】
【０００２】
現在市販の化粧ポーチの大部分は頂部から開口し、頂部から化粧品を取り出し、こういう設計の化粧ポーチは外観が基本的に一致であり、設計が新たではなく、個性を見せられなく、また大きな化粧ポーチの中には一つの保存チャンバしかなく、化粧品を使用するときに探す必要があり、比較的に面倒である。
【先行技術文献】
【特許文献】
【０００３】
【特許文献１】中国特許出願公開第１０１０３１２１５号明細書
【発明の概要】
【発明が解決しようとする課題】
【０００４】
本発明の目的は使いやすい化粧ポーチを提供し、それは上記の現在の技術中の問題を解決できる。
【課題を解決するための手段】
【０００５】
本発明の使いやすい化粧ポーチは、本体を含み、前記本体の中には大空きチャンバが設置され、前記大空きチャンバの中には保存ブロックが設置され、前記保存ブロックの左右両端にはいずれも回転ブロックが回転できるように設置され、前記回転ブロックの底端には外軸が固定的に設置され、前記外軸の中には円柱溝が設置され、前記大空きチャンバの左右両側端壁の中には扇状凹溝が設置され、前記扇状凹溝の底壁にはヒンジブロックが固定的に設置され、前記ヒンジブロックの頂部には揺動軸が固定的に設置され、前記揺動軸が前記円柱溝の中に挿入され、前記揺動軸と前記円柱溝の頂壁との間には第一ばねが取り付けられ、前記保存ブロックの左右両側端面にはいずれも軸ピンが固定的に設置され、前記軸ピンと前記扇状凹溝の片側端壁とが回転できるように連結され、前記保存ブロックの前側端面には曲がり形凹溝が設置され、手を前記曲がり形凹溝の中に挿入することにより、前記保存ブロックを引き、前記保存ブロックを前記大空きチャンバの外部まで滑り出させることができ、前記本体の前側端面には引掛り溝が設置され、前記引掛り溝の中には仕切板機構が設置され、前記仕切板機構が前記保存ブロックが前記大空きチャンバの外部まで滑り出ることを止められ、前記引掛り溝の頂部には空き溝が設置され、前記空き溝の中にはロック機構が設置され、前記ロック機構が前記仕切板機構をロックでき、それにより前記保存ブロックを前記大空きチャンバの外部まで引かれないようにさせる。
【０００６】
さらなる技術プラン、前記保存ブロックの中には開け溝が設置され、前記開け溝の中には引き出しがスライドできるように設置され、前記引き出しの中には雑物チャンバが設置され、前記雑物チャンバの中には重要ではない小物を保存でき、前記保存ブロックの中には大保存ボックスが固定的に設置され、前記大保存ボックスの中には大保存チャンバが設置され、前記大保存チャンバの中には小保存ボックスがスライドできるように設置され、前記小保存ボックスの中には小保存チャンバが設置され、前記小保存チャンバの両側端壁の間には横ロッドが固定的に設置され、手動で横ロッドを引き、小保存ボックスを大保存チャンバの中から引き出すことができ、それにより小保存ボックスの底部に位置している化粧品を取り出すことができる。
【０００７】
さらなる技術プラン、前記仕切板機構は前記引掛り溝の中にスライドできるように設置される引掛り板を含み、前記引掛り板の底部の一端が斜面設計であり、前記引掛り板の底端と前記保存ブロックの頂端とが当接するようにスライドできるように連結され、前記引掛り溝の底壁の中には左右に対称的なロングスライド溝が設置され、前記ロングスライド溝の中には第一スライド板がスライドできるように設置され、前記引掛り溝の底端と前記引掛り板の頂端とが固定され、前記引掛り溝の頂壁の中には小空きチャンバが左右に対称的に設置され、前記小空きチャンバの中にはリールが回転できるように設置され、二組の前記小空きチャンバの間には空き溝が設置され、前記空き溝の中には二組の左右に対称的なスライドブロックがスライドできるように設置され、前記空き溝の両側端壁の中にはいずれも第二スライド板がスライドできるように設置され、前記第二スライド板の一端と前記スライドブロックとが固定的に連結され、前記第二スライド板のもう一端と前記第一スライド板とが当接するようにスライドできるように連結され、前記スライドブロックの一端には引き紐が固定的に設置され、前記引き紐が前記リールを通した後に前記引掛り板と固定され、手動で二組の前記スライドブロックを引き、二組の前記スライドブロックを近づかせ、それにより引き紐が引掛り板を引き上に移動させ、それにより引掛り板に保存ブロックを固定しないようにさせ、それにより保存ブロックを大空きチャンバの外部まで引かれることができるようにさせる。
【０００８】
さらなる技術プラン、前記ロック機構は前記空き溝の中に固定的に設置される固定ブロックを含み、前記固定ブロックの中にはスライドチャンバが設置され、前記スライドチャンバの中には二組の円スライドブロックがスライドできるように設置され、二組の前記円スライドブロックの一端がそれぞれ前記スライドブロックと固定的に連結され、二組の前記円スライドブロックの間には第二ばねが取り付けられ、前記空き溝の頂部には回転軸が回転できるように設置され、前記回転軸の外周には二組の暗号盤が固定的に設置され、前記暗号盤の外周には数字が刻印されており、前記暗号盤の中にはいずれも左右に対称的な二組の挿し穴が設置され、前記空き溝の頂壁には二組の縦スライド溝が設置され、前記縦スライド溝の中には位置制限スライド板がいずれもスライドできるように取り付けられ、前記位置制限スライド板の底端が前記スライドチャンバの中に挿入され、また前記円スライドブロックと当接するようにスライドできるように連結され、前記位置制限スライド板の一端には復帰機構が固定的に設置され、二組の前記暗号盤を回すことにより、上下二組の暗号盤の中にある前記挿し穴が重なり、同時に、縦スライド溝と重なり、このとき位置制限スライド板が挿し穴の中に挿入されることができ、円スライドブロックを位置制限しないようにさせ、それによりスライドブロックを移動させ、それにより保存ブロックを引き出せる。
【０００９】
さらなる技術プラン、前記本体の左右両端にはいずれも飾りベルトが固定的に設置され、前記飾りベルトの中には円穴が設置され、前記円穴の中には飾りリングが設置され、前記飾りリングが飾り作用を果たし、両側の前記飾りリングがベルトによりつなぎ合わせられることができ、それにより本発明を便利に携帯でき、前記本体の頂部には二組の取っ手ブロックが固定的に設置され、二組の取っ手ブロックの間には取っ手が設置される。
【００１０】
使用するとき、まず、暗号盤を回し、暗号のロックを解除し、上下四組の挿し穴を重ならせ、同時に縦スライド溝と重ならせ、このとき位置制限スライド板が挿し穴の中に挿入されることができ、円スライドブロックを位置制限しないようにさせ、それにより手動でスライドブロックを引くことができ、手動で二組の前記スライドブロックを引くことにより、二組の前記スライドブロックを近づかせ、それにより引き紐が引掛り板を引き上に移動させ、それにより引掛り板に保存ブロックを固定しないようにさせ、保存ブロックを引き出し、化粧品を取り出し、手動で横ロッドを引き、小保存ボックスを大保存チャンバの中から引き出すことができ、それにより小保存ボックスの底部に位置している化粧品を取り出すことができ、使用後に、保存ブロックを大空きチャンバの中に戻し、同時にスライドブロックを放し、それにより円スライドブロックを第二ばねの弾力作用のもとで復帰させ、それによりスライドブロックを互いに遠離させ、それにより第二スライド板に第一スライド板を押圧させ、それにより引掛り板を下に移動し復帰させる。
【発明の効果】
【００１１】
本発明の有益的な効果は：本発明は伝統的な頂部に開口した化粧ポーチと異なり、本発明はサイド面に開口し化粧品を取り出すことができ、頂部に開口し化粧品を取り出すときファスナーを開かないといけないステップを避け、使いやすく、設計が新たであり、同時に本発明の保存ブロックが層に分けて設計され、化粧品がきれいに置かれることができ、化粧品を探しにくい問題を解決した。
【図面の簡単な説明】
【００１２】
【図１】図１は本発明の使いやすい化粧ポーチの外観概略図
【図２】図２は本発明の使いやすい化粧ポーチの内部構造概略図
【図３】図３は本発明の引掛り板の概略図
【図４】図４は本発明の保存ブロックの右側内部構造概略図
【図５】図５は本発明の保存ブロックの右側概略図
【図６】図６は本発明の図２のＡの局部拡大概略図
【図７】図７は本発明の図２のＢの局部拡大概略図
【発明を実施するための形態】
【００１３】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−７に参照し、本発明の使いやすい化粧ポーチは、本体１０を含み、前記本体１０の中には大空きチャンバ３０が設置され、前記大空きチャンバ３０の中には保存ブロック１７が設置され、前記保存ブロック１７の左右両端にはいずれも回転ブロック２３が回転できるように設置され、前記回転ブロック２３の底端には外軸３２が固定的に設置され、前記外軸３２の中には円柱溝３３が設置され、前記大空きチャンバ３０の左右両側端壁の中には扇状凹溝２２が設置され、前記扇状凹溝２２の底壁にはヒンジブロック２０が固定的に設置され、前記ヒンジブロック２０の頂部には揺動軸３５が固定的に設置され、前記揺動軸３５が前記円柱溝３３の中に挿入され、前記揺動軸３５と前記円柱溝３３の頂壁との間には第一ばね３４が取り付けられ、前記保存ブロック１７の左右両側端面にはいずれも軸ピン１９が固定的に設置され、前記軸ピン１９と前記扇状凹溝２２の片側端壁とが回転できるように連結され、前記保存ブロック１７の前側端面には曲がり形凹溝１８が設置され、手を前記曲がり形凹溝１８の中に挿入することにより、前記保存ブロック１７を引き、前記保存ブロック１７を前記大空きチャンバ３０の外部まで滑り出させることができ、前記本体１０の前側端面には引掛り溝２１が設置され、前記引掛り溝２１の中には仕切板機構７０が設置され、前記仕切板機構７０が前記保存ブロック１７が前記大空きチャンバ３０の外部まで滑り出ることを止められ、前記引掛り溝２１の頂部には空き溝５０が設置され、前記空き溝５０の中にはロック機構７１が設置され、前記ロック機構７１が前記仕切板機構７０をロックでき、それにより前記保存ブロック１７を前記大空きチャンバ３０の外部まで引かれないようにさせる。
【００１５】
前記保存ブロック１７の中には開け溝３６が設置され、前記開け溝３６の中には引き出し３７がスライドできるように設置され、前記引き出し３７の中には雑物チャンバ３８が設置され、前記雑物チャンバ３８の中には重要ではない小物を保存でき、前記保存ブロック１７の中には大保存ボックス２４が固定的に設置され、前記大保存ボックス２４の中には大保存チャンバ２６が設置され、前記大保存チャンバ２６の中には小保存ボックス２８がスライドできるように設置され、前記小保存ボックス２８の中には小保存チャンバ２９が設置され、前記小保存チャンバ２９の両側端壁の間には横ロッド２７が固定的に設置され、手動で横ロッド２７を引き、小保存ボックス２８を大保存チャンバ２６の中から引き出すことができ、それにより小保存ボックス２８の底部に位置している化粧品を取り出すことができる。
【００１６】
前記仕切板機構７０は前記引掛り溝２１の中にスライドできるように設置される引掛り板２５を含み、前記引掛り板２５の底部の一端が斜面設計であり、前記引掛り板２５の底端と前記保存ブロック１７の頂端とが当接するようにスライドできるように連結され、前記引掛り溝２１の底壁の中には左右に対称的なロングスライド溝５８が設置され、前記ロングスライド溝５８の中には第一スライド板６１がスライドできるように設置され、前記引掛り溝２１の底端と前記引掛り板２５の頂端とが固定され、前記引掛り溝２１の頂壁の中には小空きチャンバ５７が左右に対称的に設置され、前記小空きチャンバ５７の中にはリール５９が回転できるように設置され、二組の前記小空きチャンバ５７の間には空き溝５０が設置され、前記空き溝５０の中には二組の左右に対称的なスライドブロック５１がスライドできるように設置され、前記空き溝５０の両側端壁の中にはいずれも第二スライド板５３がスライドできるように設置され、前記第二スライド板５３の一端と前記スライドブロック５１とが固定的に連結され、前記第二スライド板５３のもう一端と前記第一スライド板６１とが当接するようにスライドできるように連結され、前記スライドブロック５１の一端には引き紐６０が固定的に設置され、前記引き紐６０が前記リール５９を通した後に前記引掛り板２５と固定され、手動で二組の前記スライドブロック５１を引き、二組の前記スライドブロック５１を近づかせ、それにより引き紐６０が引掛り板２５を引き上に移動させ、それにより引掛り板２５に保存ブロック１７を固定しないようにさせ、それにより保存ブロック１７を大空きチャンバ３０の外部まで引かれることができるようにさせる。
【００１７】
前記ロック機構７１は前記空き溝５０の中に固定的に設置される固定ブロック５６を含み、前記固定ブロック５６の中にはスライドチャンバ５４が設置され、前記スライドチャンバ５４の中には二組の円スライドブロック５２がスライドできるように設置され、二組の前記円スライドブロック５２の一端がそれぞれ前記スライドブロック５１と固定的に連結され、二組の前記円スライドブロック５２の間には第二ばね５５が取り付けられ、前記空き溝５０の頂部には回転軸４２が回転できるように設置され、前記回転軸４２の外周には二組の暗号盤４０が固定的に設置され、前記暗号盤４０の外周には数字が刻印されており、前記暗号盤４０の中にはいずれも左右に対称的な二組の挿し穴４１が設置され、前記空き溝５０の頂壁には二組の縦スライド溝４７が設置され、前記縦スライド溝４７の中には位置制限スライド板４６がいずれもスライドできるように取り付けられ、前記位置制限スライド板４６の底端が前記スライドチャンバ５４の中に挿入され、また前記円スライドブロック５２と当接するようにスライドできるように連結され、前記位置制限スライド板４６の一端には復帰機構４５が固定的に設置され、二組の前記暗号盤４０を回すことにより、上下二組の暗号盤４０の中にある前記挿し穴４１が重なり、同時に、縦スライド溝４７と重なり、このとき位置制限スライド板４６が挿し穴４１の中に挿入されることができ、円スライドブロック５２を位置制限しないようにさせ、それによりスライドブロック５１を移動させ、それにより保存ブロック１７を引き出せる。
【００１８】
前記本体１０の左右両端にはいずれも飾りベルト１２が固定的に設置され、前記飾りベルト１２の中には円穴１３が設置され、前記円穴１３の中には飾りリング１１が設置され、前記飾りリング１１が飾り作用を果たし、両側の前記飾りリング１１がベルトによりつなぎ合わせられることができ、それにより本発明を便利に携帯でき、前記本体１０の頂部には二組の取っ手ブロック１４が固定的に設置され、二組の取っ手ブロック１４の間には取っ手１５が設置される。
【００１９】
使用するとき、まず、暗号盤４０を回し、暗号のロックを解除し、上下四組の挿し穴４１を重ならせ、同時に縦スライド溝４７と重ならせ、このとき位置制限スライド板４６が挿し穴４１の中に挿入されることができ、円スライドブロック５２を位置制限しないようにさせ、それにより手動でスライドブロック５１を引くことができ、手動で二組の前記スライドブロック５１を引くことにより、二組の前記スライドブロック５１を近づかせ、それにより引き紐６０が引掛り板２５を引き上に移動させ、それにより引掛り板２５に保存ブロック１７を固定しないようにさせ、保存ブロック１７を引き出し、化粧品を取り出し、手動で横ロッド２７を引き、小保存ボックス２８を大保存チャンバ２６の中から引き出すことができ、それにより小保存ボックス２８の底部に位置している化粧品を取り出すことができ、使用後に、保存ブロック１７を大空きチャンバ３０の中に戻し、同時にスライドブロック５１を放し、それにより円スライドブロック５２を第二ばね５５の弾力作用のもとで復帰させ、それによりスライドブロック５１を互いに遠離させ、それにより第二スライド板５３に第一スライド板６１を押圧させ、それにより引掛り板２５を下に移動し復帰させる。
【００２０】
本発明の有益的な効果は：本発明は伝統的な頂部に開口した化粧ポーチと異なり、本発明はサイド面に開口し化粧品を取り出すことができ、頂部に開口し化粧品を取り出すときファスナーを開かないといけないステップを避け、使いやすく、設計が新たであり、同時に本発明の保存ブロックが層に分けて設計され、化粧品がきれいに置かれることができ、化粧品を探しにくい問題を解決した。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171659.tif 000003
【図２】
2020171659.tif 000004
【図３】
2020171659.tif 000005
【図４】
2020171659.tif 000006
【図５】
2020171659.tif 000007
【図６】
2020171659.tif 000008
【図７】
2020171659.tif 000009
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
本体を含み、前記本体の中には大空きチャンバが設置され、前記大空きチャンバの中には保存ブロックが設置され、前記保存ブロックの左右両端にはいずれも回転ブロックが回転できるように設置され、前記回転ブロックの底端には外軸が固定的に設置され、前記外軸の中には円柱溝が設置され、前記大空きチャンバの左右両側端壁の中には扇状凹溝が設置され、前記扇状凹溝の底壁にはヒンジブロックが固定的に設置され、前記ヒンジブロックの頂部には揺動軸が固定的に設置され、前記揺動軸が前記円柱溝の中に挿入され、前記揺動軸と前記円柱溝の頂壁との間には第一ばねが取り付けられ、前記保存ブロックの左右両側端面にはいずれも軸ピンが固定的に設置され、前記軸ピンと前記扇状凹溝の片側端壁とが回転できるように連結され、前記保存ブロックの前側端面には曲がり形凹溝が設置され、前記本体の前側端面には引掛り溝が設置され、前記引掛り溝の中には仕切板機構が設置され、前記仕切板機構が前記保存ブロックが前記大空きチャンバの外部まで滑り出ることを止められ、前記引掛り溝の頂部には空き溝が設置され、前記空き溝の中にはロック機構が設置され、前記ロック機構が前記仕切板機構をロックでき、それにより前記保存ブロックを前記大空きチャンバの外部まで引かれないようにさせることを特徴とする使いやすい化粧ポーチ。
【請求項２】
前記保存ブロックの中には開け溝が設置され、前記開け溝の中には引き出しがスライドできるように設置され、前記引き出しの中には雑物チャンバが設置され、前記雑物チャンバの中には重要ではない小物を保存でき、前記保存ブロックの中には大保存ボックスが固定的に設置され、前記大保存ボックスの中には大保存チャンバが設置され、前記大保存チャンバの中には小保存ボックスがスライドできるように設置され、前記小保存ボックスの中には小保存チャンバが設置され、前記小保存チャンバの両側端壁の間には横ロッドが固定的に設置され、手動で横ロッドを引き、小保存ボックスを大保存チャンバの中から引き出すことができ、それにより小保存ボックスの底部に位置している化粧品を取り出すことができることを特徴とする請求項１に記載の使いやすい化粧ポーチ。
【請求項３】
前記仕切板機構は前記引掛り溝の中にスライドできるように設置される引掛り板を含み、前記引掛り板の底部の一端が斜面設計であり、前記引掛り板の底端と前記保存ブロックの頂端とが当接するようにスライドできるように連結され、前記引掛り溝の上壁の中にはロングスライド溝が左右対称に配置され、前記ロングスライド溝の中には第一スライド板がスライドできるように設置され、前記引掛り溝の頂端と前記引掛り板の頂端とが固定され、前記引掛り溝の上壁の中には小空きチャンバが左右に対称的に設置され、前記小空きチャンバの中にはリールが回転できるように設置され、二組の前記小空きチャンバの間には空き溝が設置され、前記空き溝の中には二組の左右に対称的なスライドブロックがスライドできるように設置され、前記空き溝の両側端壁の中にはいずれも第二スライド板がスライドできるように設置され、前記第二スライド板の一端と前記スライドブロックとが固定的に連結され、前記第二スライド板のもう一端と前記第一スライド板とが当接するようにスライドできるように連結され、前記スライドブロックの一端には引き紐が固定的に設置され、前記引き紐が前記リールを通した後に前記引掛り板と固定され、手動で二組の前記スライドブロックを引き、二組の前記スライドブロックを近づかせ、それにより引き紐が引掛り板を引き上に移動させ、それにより引掛り板に保存ブロックを固定しないようにさせ、それにより保存ブロックを大空きチャンバの外部まで引かれることができるようにさせることを特徴とする請求項１に記載の使いやすい化粧ポーチ。
【請求項４】
前記ロック機構は前記空き溝の中に固定的に設置される固定ブロックを含み、前記固定ブロックの中にはスライドチャンバが設置され、前記スライドチャンバの中には二組の円スライドブロックがスライドできるように設置され、二組の前記円スライドブロックの一端がそれぞれ前記スライドブロックと固定的に連結され、二組の前記円スライドブロックの間には第二ばねが取り付けられ、前記空き溝の頂部には回転軸が回転できるように設置され、前記回転軸の外周には二組の暗号盤が固定的に設置され、前記暗号盤の外周には数字が刻印されており、前記暗号盤の中にはいずれも左右に対称的な二組の挿し穴が設置され、前記空き溝の頂壁には二組の縦スライド溝が設置され、前記縦スライド溝の中には位置制限スライド板がいずれもスライドできるように取り付けられ、前記位置制限スライド板の底端が前記スライドチャンバの中に挿入され、また前記円スライドブロックと当接するようにスライドできるように連結され、前記位置制限スライド板の一端には復帰機構が固定的に設置され、二組の前記暗号盤を回すことにより、上下二組の暗号盤の中にある前記挿し穴が重なり、同時に、縦スライド溝と重なり、このとき位置制限スライド板が挿し穴の中に挿入されることができ、円スライドブロックを位置制限しないようにさせ、それにより手動でスライドブロックを移動させ、それにより保存ブロックを引き出せることを特徴とする請求項１に記載の使いやすい化粧ポーチ。
【請求項５】
前記本体の左右両端にはいずれも飾りベルトが固定的に設置され、前記飾りベルトの中には円穴が設置され、前記円穴の中には飾りリングが設置され、前記飾りリングが飾り作用を果たし、両側の前記飾りリングがベルトによりつなぎ合わせられることができ、それにより本発明を便利に携帯でき、前記本体の頂部には二組の取っ手ブロックが固定的に設置され、二組の取っ手ブロックの間には取っ手が設置されることを特徴とする請求項１に記載の使いやすい化粧ポーチ。
【手続補正２】
【補正対象書類名】明細書
【補正対象項目名】全文
【補正方法】変更
【補正の内容】
【発明の詳細な説明】
【技術分野】
【０００１】
本発明は化粧ポーチ分野を取り上げて、具体的には使いやすい化粧ポーチである。
【背景技術】
【０００２】
現在市販の化粧ポーチの大部分は頂部から開口し、頂部から化粧品を取り出し、こういう設計の化粧ポーチは外観が基本的に一致であり、設計が新たではなく、個性を見せられなく、また大きな化粧ポーチの中には一つの保存チャンバしかなく、化粧品を使用するときに探す必要があり、比較的に面倒である。
【先行技術文献】
【特許文献】
【０００３】
【特許文献１】中国特許出願公開第１０１０３１２１５号明細書
【発明の概要】
【発明が解決しようとする課題】
【０００４】
本発明の目的は使いやすい化粧ポーチを提供し、それは上記の現在の技術中の問題を解決できる。
【課題を解決するための手段】
【０００５】
本発明の使いやすい化粧ポーチは、本体を含み、前記本体の中には大空きチャンバが設置され、前記大空きチャンバの中には保存ブロックが設置され、前記保存ブロックの左右両端にはいずれも回転ブロックが回転できるように設置され、前記回転ブロックの底端には外軸が固定的に設置され、前記外軸の中には円柱溝が設置され、前記大空きチャンバの左右両側端壁の中には扇状凹溝が設置され、前記扇状凹溝の底壁にはヒンジブロックが固定的に設置され、前記ヒンジブロックの頂部には揺動軸が固定的に設置され、前記揺動軸が前記円柱溝の中に挿入され、前記揺動軸と前記円柱溝の頂壁との間には第一ばねが取り付けられ、前記保存ブロックの左右両側端面にはいずれも軸ピンが固定的に設置され、前記軸ピンと前記扇状凹溝の片側端壁とが回転できるように連結され、前記保存ブロックの前側端面には曲がり形凹溝が設置され、前記本体の前側端面には引掛り溝が設置され、前記引掛り溝の中には仕切板機構が設置され、前記仕切板機構が前記保存ブロックが前記大空きチャンバの外部まで滑り出ることを止められ、前記引掛り溝の頂部には空き溝が設置され、前記空き溝の中にはロック機構が設置され、前記ロック機構が前記仕切板機構をロックでき、それにより前記保存ブロックを前記大空きチャンバの外部まで引かれないようにさせる。
【０００６】
さらなる技術プラン、前記保存ブロックの中には開け溝が設置され、前記開け溝の中には引き出しがスライドできるように設置され、前記引き出しの中には雑物チャンバが設置され、前記雑物チャンバの中には重要ではない小物を保存でき、前記保存ブロックの中には大保存ボックスが固定的に設置され、前記大保存ボックスの中には大保存チャンバが設置され、前記大保存チャンバの中には小保存ボックスがスライドできるように設置され、前記小保存ボックスの中には小保存チャンバが設置され、前記小保存チャンバの両側端壁の間には横ロッドが固定的に設置され、手動で横ロッドを引き、小保存ボックスを大保存チャンバの中から引き出すことができ、それにより小保存ボックスの底部に位置している化粧品を取り出すことができる。
【０００７】
さらなる技術プラン、前記仕切板機構は前記引掛り溝の中にスライドできるように設置される引掛り板を含み、前記引掛り板の底部の一端が斜面設計であり、前記引掛り板の底端と前記保存ブロックの頂端とが当接するようにスライドできるように連結され、前記引掛り溝の上壁の中にはロングスライド溝が左右対称に配置され、前記ロングスライド溝の中には第一スライド板がスライドできるように設置され、前記引掛り溝の頂端と前記引掛り板の頂端とが固定され、前記引掛り溝の上壁の中には小空きチャンバが左右に対称的に設置され、前記小空きチャンバの中にはリールが回転できるように設置され、二組の前記小空きチャンバの間には空き溝が設置され、前記空き溝の中には二組の左右に対称的なスライドブロックがスライドできるように設置され、前記空き溝の両側端壁の中にはいずれも第二スライド板がスライドできるように設置され、前記第二スライド板の一端と前記スライドブロックとが固定的に連結され、前記第二スライド板のもう一端と前記第一スライド板とが当接するようにスライドできるように連結され、前記スライドブロックの一端には引き紐が固定的に設置され、前記引き紐が前記リールを通した後に前記引掛り板と固定され、手動で二組の前記スライドブロックを引き、二組の前記スライドブロックを近づかせ、それにより引き紐が引掛り板を引き上に移動させ、それにより引掛り板に保存ブロックを固定しないようにさせ、それにより保存ブロックを大空きチャンバの外部まで引かれることができるようにさせる。
【０００８】
さらなる技術プラン、前記ロック機構は前記空き溝の中に固定的に設置される固定ブロックを含み、前記固定ブロックの中にはスライドチャンバが設置され、前記スライドチャンバの中には二組の円スライドブロックがスライドできるように設置され、二組の前記円スライドブロックの一端がそれぞれ前記スライドブロックと固定的に連結され、二組の前記円スライドブロックの間には第二ばねが取り付けられ、前記空き溝の頂部には回転軸が回転できるように設置され、前記回転軸の外周には二組の暗号盤が固定的に設置され、前記暗号盤の外周には数字が刻印されており、前記暗号盤の中にはいずれも左右に対称的な二組の挿し穴が設置され、前記空き溝の頂壁には二組の縦スライド溝が設置され、前記縦スライド溝の中には位置制限スライド板がいずれもスライドできるように取り付けられ、前記位置制限スライド板の底端が前記スライドチャンバの中に挿入され、また前記円スライドブロックと当接するようにスライドできるように連結され、前記位置制限スライド板の一端には復帰機構が固定的に設置され、二組の前記暗号盤を回すことにより、上下二組の暗号盤の中にある前記挿し穴が重なり、同時に、縦スライド溝と重なり、このとき位置制限スライド板が挿し穴の中に挿入されることができ、円スライドブロックを位置制限しないようにさせ、それにより手動でスライドブロックを移動させ、それにより保存ブロックを引き出せる。
【０００９】
さらなる技術プラン、前記本体の左右両端にはいずれも飾りベルトが固定的に設置され、前記飾りベルトの中には円穴が設置され、前記円穴の中には飾りリングが設置され、前記飾りリングが飾り作用を果たし、両側の前記飾りリングがベルトによりつなぎ合わせられることができ、それにより本発明を便利に携帯でき、前記本体の頂部には二組の取っ手ブロックが固定的に設置され、二組の取っ手ブロックの間には取っ手が設置される。
【００１０】
使用するとき、まず、暗号盤を回し、暗号のロックを解除し、上下四組の挿し穴を重ならせ、同時に縦スライド溝と重ならせ、このとき位置制限スライド板が挿し穴の中に挿入されることができ、円スライドブロックを位置制限しないようにさせ、それにより手動でスライドブロックを引くことができ、手動で二組の前記スライドブロックを引くことにより、二組の前記スライドブロックを近づかせ、それにより引き紐が引掛り板を引き上に移動させ、それにより引掛り板に保存ブロックを固定しないようにさせ、保存ブロックを引き出し、化粧品を取り出し、手動で横ロッドを引き、小保存ボックスを大保存チャンバの中から引き出すことができ、それにより小保存ボックスの底部に位置している化粧品を取り出すことができ、使用後に、保存ブロックを大空きチャンバの中に戻し、同時にスライドブロックを放し、それにより円スライドブロックを第二ばねの弾力作用のもとで復帰させ、それによりスライドブロックを互いに遠離させ、それにより第二スライド板に第一スライド板を押圧させ、それにより引掛り板を下に移動し復帰させる。
【発明の効果】
【００１１】
本発明の有益的な効果は：本発明は伝統的な頂部に開口した化粧ポーチと異なり、本発明はサイド面に開口し化粧品を取り出すことができ、頂部に開口し化粧品を取り出すときファスナーを開かないといけないステップを避け、使いやすく、設計が新たであり、同時に本発明の保存ブロックが層に分けて設計され、化粧品がきれいに置かれることができ、化粧品を探しにくい問題を解決した。
【図面の簡単な説明】
【００１２】
【図１】図１は本発明の使いやすい化粧ポーチの外観概略図
【図２】図２は本発明の使いやすい化粧ポーチの内部構造概略図
【図３】図３は本発明の引掛り板の概略図
【図４】図４は本発明の保存ブロックの右側内部構造概略図
【図５】図５は本発明の保存ブロックの右側概略図
【図６】図６は本発明の図２のＡの局部拡大概略図
【図７】図７は本発明の図２のＢの局部拡大概略図
【発明を実施するための形態】
【００１３】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−７に参照し、本発明の使いやすい化粧ポーチは、本体１０を含み、前記本体１０の中には大空きチャンバ３０が設置され、前記大空きチャンバ３０の中には保存ブロック１７が設置され、前記保存ブロック１７の左右両端にはいずれも回転ブロック２３が回転できるように設置され、前記回転ブロック２３の底端には外軸３２が固定的に設置され、前記外軸３２の中には円柱溝３３が設置され、前記大空きチャンバ３０の左右両側端壁の中には扇状凹溝２２が設置され、前記扇状凹溝２２の底壁にはヒンジブロック２０が固定的に設置され、前記ヒンジブロック２０の頂部には揺動軸３５が固定的に設置され、前記揺動軸３５が前記円柱溝３３の中に挿入され、前記揺動軸３５と前記円柱溝３３の頂壁との間には第一ばね３４が取り付けられ、前記保存ブロック１７の左右両側端面にはいずれも軸ピン１９が固定的に設置され、前記軸ピン１９と前記扇状凹溝２２の片側端壁とが回転できるように連結され、前記保存ブロック１７の前側端面には曲がり形凹溝１８が設置され、前記本体１０の前側端面には引掛り溝２１が設置され、前記引掛り溝２１の中には仕切板機構７０が設置され、前記仕切板機構７０が前記保存ブロック１７が前記大空きチャンバ３０の外部まで滑り出ることを止められ、前記引掛り溝２１の頂部には空き溝５０が設置され、前記空き溝５０の中にはロック機構７１が設置され、前記ロック機構７１が前記仕切板機構７０をロックでき、それにより前記保存ブロック１７を前記大空きチャンバ３０の外部まで引かれないようにさせる。
【００１５】
前記保存ブロック１７の中には開け溝３６が設置され、前記開け溝３６の中には引き出し３７がスライドできるように設置され、前記引き出し３７の中には雑物チャンバ３８が設置され、前記雑物チャンバ３８の中には重要ではない小物を保存でき、前記保存ブロック１７の中には大保存ボックス２４が固定的に設置され、前記大保存ボックス２４の中には大保存チャンバ２６が設置され、前記大保存チャンバ２６の中には小保存ボックス２８がスライドできるように設置され、前記小保存ボックス２８の中には小保存チャンバ２９が設置され、前記小保存チャンバ２９の両側端壁の間には横ロッド２７が固定的に設置され、手動で横ロッド２７を引き、小保存ボックス２８を大保存チャンバ２６の中から引き出すことができ、それにより小保存ボックス２８の底部に位置している化粧品を取り出すことができる。
【００１６】
前記仕切板機構７０は前記引掛り溝２１の中にスライドできるように設置される引掛り板２５を含み、前記引掛り板２５の底部の一端が斜面設計であり、前記引掛り板２５の底端と前記保存ブロック１７の頂端とが当接するようにスライドできるように連結され、前記引掛り溝２１の上壁の中にはロングスライド溝５８が左右対称に配置され、前記ロングスライド溝５８の中には第一スライド板６１がスライドできるように設置され、前記引掛り溝２１の頂端と前記引掛り板２５の頂端とが固定され、前記引掛り溝２１の上壁の中には小空きチャンバ５７が左右に対称的に設置され、前記小空きチャンバ５７の中にはリール５９が回転できるように設置され、二組の前記小空きチャンバ５７の間には空き溝５０が設置され、前記空き溝５０の中には二組の左右に対称的なスライドブロック５１がスライドできるように設置され、前記空き溝５０の両側端壁の中にはいずれも第二スライド板５３がスライドできるように設置され、前記第二スライド板５３の一端と前記スライドブロック５１とが固定的に連結され、前記第二スライド板５３のもう一端と前記第一スライド板６１とが当接するようにスライドできるように連結され、前記スライドブロック５１の一端には引き紐６０が固定的に設置され、前記引き紐６０が前記リール５９を通した後に前記引掛り板２５と固定され、手動で二組の前記スライドブロック５１を引き、二組の前記スライドブロック５１を近づかせ、それにより引き紐６０が引掛り板２５を引き上に移動させ、それにより引掛り板２５に保存ブロック１７を固定しないようにさせ、それにより保存ブロック１７を大空きチャンバ３０の外部まで引かれることができるようにさせる。
【００１７】
前記ロック機構７１は前記空き溝５０の中に固定的に設置される固定ブロック５６を含み、前記固定ブロック５６の中にはスライドチャンバ５４が設置され、前記スライドチャンバ５４の中には二組の円スライドブロック５２がスライドできるように設置され、二組の前記円スライドブロック５２の一端がそれぞれ前記スライドブロック５１と固定的に連結され、二組の前記円スライドブロック５２の間には第二ばね５５が取り付けられ、前記空き溝５０の頂部には回転軸４２が回転できるように設置され、前記回転軸４２の外周には二組の暗号盤４０が固定的に設置され、前記暗号盤４０の外周には数字が刻印されており、前記暗号盤４０の中にはいずれも左右に対称的な二組の挿し穴４１が設置され、前記空き溝５０の頂壁には二組の縦スライド溝４７が設置され、前記縦スライド溝４７の中には位置制限スライド板４６がいずれもスライドできるように取り付けられ、前記位置制限スライド板４６の底端が前記スライドチャンバ５４の中に挿入され、また前記円スライドブロック５２と当接するようにスライドできるように連結され、前記位置制限スライド板４６の一端には復帰機構４５が固定的に設置され、二組の前記暗号盤４０を回すことにより、上下二組の暗号盤４０の中にある前記挿し穴４１が重なり、同時に、縦スライド溝４７と重なり、このとき位置制限スライド板４６が挿し穴４１の中に挿入されることができ、円スライドブロック５２を位置制限しないようにさせ、それにより手動でスライドブロック５１を移動させ、それにより保存ブロック１７を引き出せる。
【００１８】
前記本体１０の左右両端にはいずれも飾りベルト１２が固定的に設置され、前記飾りベルト１２の中には円穴１３が設置され、前記円穴１３の中には飾りリング１１が設置され、前記飾りリング１１が飾り作用を果たし、両側の前記飾りリング１１がベルトによりつなぎ合わせられることができ、それにより本発明を便利に携帯でき、前記本体１０の頂部には二組の取っ手ブロック１４が固定的に設置され、二組の取っ手ブロック１４の間には取っ手１５が設置される。
【００１９】
使用するとき、まず、暗号盤４０を回し、暗号のロックを解除し、上下四組の挿し穴４１を重ならせ、同時に縦スライド溝４７と重ならせ、このとき位置制限スライド板４６が挿し穴４１の中に挿入されることができ、円スライドブロック５２を位置制限しないようにさせ、それにより手動でスライドブロック５１を引くことができ、手動で二組の前記スライドブロック５１を引くことにより、二組の前記スライドブロック５１を近づかせ、それにより引き紐６０が引掛り板２５を引き上に移動させ、それにより引掛り板２５に保存ブロック１７を固定しないようにさせ、保存ブロック１７を引き出し、化粧品を取り出し、手動で横ロッド２７を引き、小保存ボックス２８を大保存チャンバ２６の中から引き出すことができ、それにより小保存ボックス２８の底部に位置している化粧品を取り出すことができ、使用後に、保存ブロック１７を大空きチャンバ３０の中に戻し、同時にスライドブロック５１を放し、それにより円スライドブロック５２を第二ばね５５の弾力作用のもとで復帰させ、それによりスライドブロック５１を互いに遠離させ、それにより第二スライド板５３に第一スライド板６１を押圧させ、それにより引掛り板２５を下に移動し復帰させる。
【００２０】
本発明の有益的な効果は：本発明は伝統的な頂部に開口した化粧ポーチと異なり、本発明はサイド面に開口し化粧品を取り出すことができ、頂部に開口し化粧品を取り出すときファスナーを開かないといけないステップを避け、使いやすく、設計が新たであり、同時に本発明の保存ブロックが層に分けて設計され、化粧品がきれいに置かれることができ、化粧品を探しにくい問題を解決した。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。